(57)【特許請求の範囲】
【請求項１】
板状の本体フレーム（25）と、
前記本体フレームに隣接して形成された約四分の一の円からなる円弧通路（22）、
前記円弧通路の円弧中心と同心に配置された突軸（52）、及び
前記突軸に回転自在かつスライド可能に外装され、周面に断面Λ形の溝（56）が形成されたローラ（53）を含み、
小径コインが倒れ込むことが可能に前記円弧通路と前記ローラとの間の前記本体フレームに開口された窓（27）、
前記窓に相対してコインを前記窓側に押す押し付け片（33）
を有することを特徴とするコイン転動式セレクタ。
【発明の詳細な説明】
【０００１】
【発明の属する技術分野】
本発明は投入されたコインを転がしながら選別するためのコイン転動式セレクタに関する。
とくに本発明はパチンコ・スロットいわゆるパチスロなどのゲーム機に使用されているコイン転動式セレクタに関する。
なお本明細書の用語「コイン」には通貨である小さな円板形の硬貨を含むことは勿論である。
さらに本明細書の用語「コイン」にはゲーム等に使用される円板形のメダルやトークンなどを含むことは勿論である。
【０００２】
【従来の技術】
メダルゲーム機やパチスロ機などに使用されているコイン転動式セレクタは種々のものが開発されている。
たとえば本件出願人による実開平６−２５９６３（実願平４ー２３２４０）号公報に其のセレクタが開示されている。
図７には実開平６−２５９６３号公報に開示されているコイン転動式セレクタが概略的に示されている。
なお実願平４ー２３２４０号は米国特許５，２９３，９８１号を構成していることを此処に付記する。
【０００３】
図７の（Ａ）は上記セレクタの全体をほぼ左上から見た概略的な斜面図である。図７の（Ｂ）は上記セレクタを横から見た概略的な断面図である。
図７（Ａ）のセレクタは横に長い大きな本体フレーム４を有している。
この本体フレーム４の各端部には取付け片１９と１８とがそれぞれ形成されている。
これらの取付け片１９と１８とによって本体フレーム４はパチスロ・マシーン内に全体が傾斜して固定される。
すなわち本体フレーム４は水平面に対し長さ方向が斜めにされ然も幅方向も斜めにされて固定される（図７（Ｂ）を参照）。
【０００４】
そして本体フレーム４のほぼ中央部下にはやや大きな矩形の窓９が開口されている。
この窓９の上縁には横に長い矩形の薄いコインガイド１０が固定されている（図７（Ｂ）を参照）。
またコインガイド１０上方の本体フレーム４には枢軸８が取り付けられている。この枢軸８には屈曲された小さい板アーム１１が回転自在に取り付けられている。
すなわち板アーム１１の下半分は窓９内に出入り可能になっている。
図７（Ａ）の左半分に示されているピストル形のものはドア板５である。
【０００５】
このドア板５はスプリング（図示略）を介在して本体フレーム４上部の枢軸８に回動可能に取り付けられている。
すなわち枢軸８とスプリング（図示略）とを利用してドア板５と板アーム１１とが一体的に回動可能になっている。
したがって板アーム１１を動かすだけでドア板５も動くことになる。
本体フレーム４とドア板５との各上端部はそれぞれ外向きに屈曲されてコインの投入口１に形成されている（図７（Ａ）を参照）。
図７（Ａ）の右半分に示されているほぼ矩形のものはカバー板１７である。
このカバー板１７には小さな円柱形のソレノド１６が配置されている。
【０００６】
このソレノイド１６にはＬ形に屈曲された蓋板１５が上方で枢軸１４されている。
したがってソレノド１６のオンオフによって細長いコインの落下孔１２が開閉されることになる。
なお図７（Ａ）の右端に示される符号１３は蓋部でありカバー板１７の一部によって形成されている。
この蓋部１３と本体フレーム４とによって細長いコインの出口２が形成されている。
さて上述した従来のコイン転動式セレクタはコインが投入口１に投入される。
【０００７】
投入されたコインは本体フレーム４の下縁に形成されたレール７を転がりながら落下する（図７（Ｂ）を参照）。
レール７を転動するコインＡが真正である場合には、コインガイド１０とドア板５とによってガイドされ更に転動が続けられる。
レール７を転動するコインが真正でなく直径が小さいときは、コインガイド１０あるいはドア板５から外れて落下する。
レール７を転動するコインが真正でなく直径が大きいときは、コインガイド１０の取り付け板１０１などによって止められる。
この場合、たとえばドア板５をスプリング（図示略）に抗して動かすと板アーム１１も動くことになる。
【０００８】
かくして取り付け板１０１などで止められているコインは板アーム１１によって落下することになる。
しかしながら上述したコイン転動式セレクタは横方向に大きいという問題点があった。
また取り付けるときにセレクタ全体を斜めにするために取り付け空間が大きくなるという問題点があった。
また選別されるコインのサイズを変更する場合には、セレクタを全面的に改造しなければならないという問題点があった。
【発明が解決しようとする課題】
【０００９】
本発明は上記の諸問題点を解消する目的から開発されたものである。
すなわち本発明はセレクタ全体のサイズを出来るだけ小さくする目的から開発されたものである。
言い換えると本発明はセレクタ全体を斜めにすることなく垂直に取り付け得るようにする目的から開発されたものである。
また本発明は選別コインの直径サイズの変更を容易にする目的から開発されたものである。
加えて本発明はコイン転動式セレクタの機能を追加する目的から開発されたものである。
【００１０】
【課題を解決するための手段】
上記目的を達成するため、本発明は、板状の本体フレームと、前記本体フレームに隣接して形成された約四分の一の円からなる円弧通路、前記円弧通路の円弧中心と同心に配置された突軸、及び前記突軸に回転自在かつスライド可能に外装され、周面に断面Λ形の溝が形成されたローラを含み、
小径コインが倒れ込むことが可能に前記円弧通路と前記ローラとの間の前記本体フレームに開口された窓、
前記窓に相対してコインを前記窓側に押す押し付け片
を有するコイン転動式セレクタとしたものである。
【００１１】
図１は本発明による一実施例を概略的に示す斜面図である。
図２は図１の正面図である。
図３は図１を斜め上方から見た概略的な斜面図である。
図４は図１の背面図である。
図５は図４の主要部を取り除いた部分を示す部分図である。
図６は図２の一部分を取り除いて示す正面図である。
本発明の一実施例であるコイン転動式セレクタは概略全体が横に長い箱形になっている（図１を参照）。
そして更に本実施例のセレクタは箱全体が下方に傾斜した形状に形成されている（図２を参照）。
【００１２】
当該セレクタの使用時においては通常、コインが上部の鋭角部から投入され下部の鋭角部に向かって転動される（図６を参照）。
まずコインは当該セレクタの頂部に形成される開口２１から投入される。
開口２１から投入されたコインは約四分の一円になる円弧通路２２によって其の転動がガイドされる。
なお円弧通路２２は鶴のような形をしたやや厚い板２３によって形成されている（図６を参照）。
そして鶴形の板２３は大きな本体フレーム２５（図６を参照）に固定されている。
さらに鶴形の板２３はやや小さなドア体３１（図５を参照）によって覆われている。
【００１３】
なおドア体３１はほぼ五角形の樹脂成形品とＬ形の金属板３１Ｍとによって形成されている。
またドア体３１は上部中央にある枢軸３２によって本体フレーム２５に開閉自在に取り付けられている。
本体フレーム２５の頂部近くには斧形のやや大きな窓２７が開口されている（図６を参照）。
そして円弧通路２２近くの窓２７縁には三日月形の開閉板２６が略Ｙ形のアーム板２９を介在して枢軸２８されている（図４を参照）。
開閉板２６とアーム板２９は後記するように通路に詰まったコインを取り外してキャンセルするためのものである
【００１４】
なおアーム板２９の長い外端部にはドア体３１を開閉するための操作片２４が形成されている（図４を参照）。
この操作片２４は本体フレーム２５を貫通自在になることは勿論である。
本体フレーム２５の上縁中央にはやや大きなアーム５１が外向きに形成されている。
このアーム５１は更に下向きに屈曲されて其の先端部には突軸５２が固定されている（図４を参照）。
なお突軸５２はドア体３１に向けて突出されている。
突軸５２にはスペイサを介在してローラ５３が回転自在に外装されている。
このローラ５３の元端部全周には溝５５が形成されている（図３を参照）。
【００１５】
溝５５は後記するように当該ローラ５３を突軸５２方向にスライド移動するためのものである。
さらにローラ５３の先端部全周には溝５６が形成されている。
この溝５６は後記するように転動するコインの上縁をガイドするためのものである。
なお溝５６のサイド面のひとつは傾斜面に形成されている。
言い換えるとローラ５３には断面ほぼＶ形の溝５６が形成されることになる。
ドア体３１の上部には図５の右部に示されるようにＪ形の押し付け片３３が枢軸３５されて垂下されている。
【００１６】
なお押し付け片３３はドア体３１を揺動自在に貫通しており通過するコインを本体フレーム２５に押し付ける。
したがって小さなスプリング３６がドア体３１と押し付け片３３との間に配置されている（図５を参照）。
さらにドア体３１の上部にはΓ形のストッパ片３７が枢軸３５されて垂下されている。
なおストッパ片３７はドア体３１を揺動自在に貫通している。
そしてストッパ片３７の下端部によって円弧通路２２から来るコインの通過が阻止される（図６を参照）。
図４の左上部に示される小さな矩形体はアーム５１内のソレノイド６１である。
【００１７】
ソレノイド６１のプランジャ（図示略）には長円形の小さなリンク（図示略）が枢着されている。さらに小リンクにはＬ形のリンク（図示略）が枢着されている。そしてＬ形リンクには長いスプリング片６３が枢着６２されている（図３を参照）。スプリング片６３の先端部下面にはやや長いロッド６５が固定されている。このロッド６５の先端は前記したローラ５３の溝５５内にスライド自在に挿入される（図３を参照）。かくしてソレノイド６１がオンされると、スプリング片６３が枢着６２を中心に回動される。
【００１８】
この結果、ロッド６５が移動してローラ５３は図３の矢印に示されるようにドア体３１に接近することになる。
言い換えるとコインをガイドするためのローラ５３の溝５６が円弧通路２２に対応することになる。
他方、ローラ５３がドア体３１に接近すると当該ローラ５３によってストッパ片３７の突起３９が押される（図２を参照）。
したがってストッパ片３７の下端部が引っ込むため円弧通路２２からのコインは更に転動することになる（図６を参照）。
言い換えると円弧通路２２からのコインは本体フレーム２５の固定レール７１を転動することになる。
【００１９】
なお固定レール７１の近くには計数用の三個のセンサＳが配置されている。
これらのセンサＳは固定レール７１を通過するコインを例えば磁気的に或いは光学的に検出する。
なおセンサＳの数を三個にしたのは悪戯による誤動作を防止するためである。
図４の左サイドに示されるやや大きな矩形体もソレノイド７２である。
ソレノイド７２のプランジャには軸７９を介在してＵ形の可動レール７３が回動自在に配設されている（図４を参照）。
すなわちＵ形の可動レール７３の各上端部は本体フレーム２５に枢着７７されている。
【００２０】
そして可動レール７３の中央部には一対の斜め孔が開口されて軸７９が貫通されている（図３を参照）。
さらに可動レール７３にはアーム片を介在してストッパ７５が形成されている。ソレノイド７２がオフのときは可動レール７３が本体フレーム２５の外側に位置している。
そしてストッパ７５は本体フレーム２５の内側に位置している。
すなわちソレノイド７２がオフのときは固定レール７１から来たコインはストッパ７５に阻止されて金庫（図示略）内に落下する（図６を参照）。
ソレノイド７２がオンのときは可動レール７３が本体フレーム２５の内側に位置する。
【００２１】
そしてストッパ７５は本体フレーム２５の外側に位置する。
したがってソレノイド７２がオンのときは、コインは可動レール７３を転動し更に本体フレーム２５にガイドされて落下する（図１を参照）。
本体フレーム２５にガイドされて落下するコインは例えばホッパのタンク（図示略）内に収納される。
なお図５のほぼ中央に示される小さな円はコイン通路調整用のスチール球９１である。
このスチール球９１は回転自在であると共に本体フレーム２５に対して接近可能に配設されている。
すなわちスチール球９１は開口２１に投入されるコインの厚みに応じて円弧通路２２の幅を調整するためのものである。
【００２２】
上述の構成からなる本実施例のコイン転動式セレクタは通常、ソレノイド６１と７２とをそれぞれオンにして使用する。すなわちローラ５３の溝５６が円弧通路２２の位置に対応する。そして可動レール７３が本体フレーム２５の内側に位置する。なおストッパ片３７はドア体３１の外側に位置しおりストッパ７５は本体フレーム２５の外側に位置していることは勿論である。この状態においてコインが開口２１に投入されると当該コインは円弧通路２２によってガイドされて転動落下する。
【００２３】
そして当該コインが真性の場合には言い換えると当該コインが選別されるコインである場合には円弧通路２２を通り抜ける。
すなわちコインの下縁は円弧通路２２によってガイドされ当該コインの上縁は溝５６によってガイドされる。
したがってコインが真性の場合には円弧通路２２をスムーズに通過して更に下方に転動することになる。
なお此の場合、ローラ５３は回転自在であるから真性コインはスムーズに且つスピーディに通過することになる。
したがってスプリング３６は弱い弾性力のものが望ましいことは勿論である。
【００２４】
また例えば小形の電気モータ（図示略）によってローラ５３を回転するようにしても良いことは勿論である。
この場合、たとえば枢軸５２を回転自在な取り付け構造にする必要がある。
またローラ５３を回転駆動するとコインの通過スピードが速くなることは勿論である。
開口２１に投入されたコインが真性ではなく直径が小である場合には、円弧通路２２を通過しないことになる。
この場合、コインの下縁は円弧通路２２によってガイドされるものの当該コインの上縁は溝５６によってガイドされない。
【００２５】
したがって直径が小であるコインは例えば斜めになってドア体３１内部を落下してキャンセルされることになる。
なお直径が小さなコインでも振動していると見かけ上、直径が大きくなって恰も真性コインのようになる。
この場合はスプリング３６が作用してコインの振動を吸収することになる。
かくしてコインの直径が小の場合はローラ５３の溝５６から外れてキャンセルされることになる。
開口２１に投入されたコインが真性ではなく直径が大である場合も、円弧通路２２を通過しないことになる。
【００２６】
コインの下縁は円弧通路２２によってガイドされるものの当該コインの上縁はローラ５３に当たる。
言い換えるとコインの直径が大の場合は、円弧通路２２とローラ５３との間に保持されて移動できなくなる。
この場合、アーム板２９を枢軸２８中心に開閉することによって直径の大きなコインを簡単に落下してキャンセルできる。
すなわちアーム板２９の操作によって開閉板２６が動き、同時に操作片２４を介在してドア体３１が開閉されるからである。
また本実施例においてはローラ５３に断面略Ｖ形の溝５６が形成されている。
言い換えると円弧通路２２から見ると当該溝５６は断面Λ形である。
【００２７】
また断面形状がΛ形の溝５６であれば良いため例えば二個のローラによって溝５６を形成しても良いことは勿論である。
また他の部材たとえば半円板形に溝５６を形成しても良いことは勿論である。
さらに溝５６の断面形状は正確には本実施例の場合、傾斜面が一個であるが二個にしても良いことは勿論である。
また本実施例において選択コインを変更する場合は、ローラ５３を取り替えるだけで行え得る。
たとえば選択コインの直径を変更する場合、ローラ５３の取り替えによって行え得ることは勿論である。
【００２８】
また選択コインの厚みを変更する場合にも、ローラ５３の取り替えによって行え得ることは勿論である。
本実施例は通常、ソレノイド６１と７２とをそれぞれオンにして使用する。
しかしながら前述からも明らかなようにソレノイド６１をオンにしソレノイド７２をオフにしても使用できることは勿論である。
たとえばソレノイド６１と７２とをそれぞれオンにして第一の金庫（図示略）を使用する。
そして第一の金庫が満杯になった時にソレノイド７２をオフにして第二の金庫（図示略）を使用することが出来る。
【００２９】
なおソレノイド61は通常オンにされており当該コインセレクタの使用装置にトラブルがあるとオフされ得ることは勿論である。この場合、開口21に投入されたコインが真正であってもキャンセルされることは勿論である。
またソレノイド61の位置をローラ53の近くにすると共にロッド65の操作機構を変更する。そしてソレノイド72を取り除くと共に其の近辺の本体フレーム25やアーム51や金属板31Ｍなどを取り除く。
この結果、図示を省略したが図２や図４に示される本実施例のコインセレクタを約半分の大きさにできることは勿論である。
【００３０】
なお大きなコインの場合、図６に示されようにストッパ７５が使用されると誤動作することがある。
たとえば第一のコインＣ１がストッパ７５に当たって振れているときに次の第二のコインＣ２が第一コインＣ１に当たる場合である。
言い換えるとストッパ７５に当たって振動している第一のコインＣ１が第二のコインＣ２を振動する場合がある。
このときセンサＳが振動する第二のコインＣ２を検出して更にカウントし誤計数してしまうという問題点がある。
この問題点を解消したのが図８に示される第二の実施例である。
【００３１】
すなわち扇形のガイド９１が本体フレーム２５に対して開閉自在に枢軸９２されている。
ガイド９１が使用されるときはスプリング（図示略）によって当該ガイド９１が本体フレーム２５に接触される（図８を参照）。
この場合、固定レール７１から来たコインはガイド９１の外縁に形成されたカーブ部９３によってスムーズに落下する。
言い換えるとソレノイド７２がオフであるとき、コインはガイド９１のカーブ部９３に阻止されて金庫（図示略）内に落下する。
ソレノイド７２がオンのときは可動レール７３が本体フレーム２５の内側に位置される（図９を参照）。
【００３２】
内側に位置された可動レール７３によってガイド９１はスプリング（図示略）に抗して本体フレーム２５から離れる。したがってコインは可動レール７３を転動し更に本体フレーム２５にガイドされて落下する（図９を参照）。本体フレーム２５にガイドされて落下するコインは例えばホッパのタンク（図示略）内に収納される。
【発明の効果】
上述したように本発明によると簡単な構成を付加するだけでコインセレクタ全体のサイズを小さくすることが出来る。
【００３３】
すなわち本発明によると円弧形の通路手段を採用することによってコインセレクタ全体のサイズを小にすることが出来る。また本発明によるとコインガイド用のローラを取り替えるだけで簡単に選別コインのサイズを変更できる。また本発明によると円弧形の通路手段とコインガイドローラとの採用によってコインセレクタを垂直に取り付けことが出来る利点がある。加えて本発明はコインガイドローラを移動可能にしたためコインの選択を初期の段階で行え得るという大きな効果が得られる。
【図面の簡単な説明】
【図１】  図１は本発明による一実施例を概略的に示す斜面図である。
【図２】  図２は図１の正面図である。
【図３】 図３は図１を斜め上方から見た概略的な斜面図である。
【図４】  図４は図１の背面図である。
【図５】  図５は図４の主要部を取り除いた部分を示す部分図である。
【図６】  図６は図２の一部分を取り除いて示す正面図である。
【図７】  図７は従来例を示す説明図である。
【図８】  図８は本発明による第二の実施例を概略的に示した斜面図である。
【図９】  図９は図８の要部を示す拡大斜面図である。
【符号の説明】
・円弧形の通路手段・・・・・
２２：円弧通路、
２３：鶴形の板、
２５：本体フレーム、
３１：ドア体、
・断面ほぼΛ形の溝手段・・・
５３：ローラ、
５５：溝、
５６：溝、
６１：ソレノイド、
６５：ロッド。
【図１】
0004318060.tif 000002
【図２】
0004318060.tif 000003
【図３】
0004318060.tif 000004
【図４】
0004318060.tif 000005
【図５】
0004318060.tif 000006
【図６】
0004318060.tif 000007
【図７】
0004318060.tif 000008
【図８】
0004318060.tif 000009
【図９】
0004318060.tif 000010